(57)【要約】【課題】  ブラジャーやファンデーションなどのバストのカップ部に適用のカップ成型体で、模様入りのレース生地を有し、上に着用するアウターに引っ掛かることなく、スムーズに着用ができるカップ成型体を提供する。【解決手段】  カップ成型体２を装着したブラジャーやファンデーションなどの下着などのカップ部１において、ポリウレタン発泡体３から形成したカップ成型体２の表面を模様を有するレース生地５で覆い、さらにこのレース生地５の外表面を滑動的な透明又は半透明のシート６で被覆してブラジャーあるいはファンデーションなどの下着の上に着用するアウターの生地とカップ部１で絡みにくい、表面滑動性の良好な模様のあるレース地を有するカップ成型体２である。【選択図】      図２
2007016339.tif 000002
【特許請求の範囲】
【請求項１】
ブラジャー、ボディースーツ、ボディシェーパーその他のファンデーションのバストのカップ部に適用するカップ成型体において、発泡ポリウレタンの板状体からモールド成型により形状化したカップ成型体の発泡ポリウレタンカップの表面に模様を有するレース地で被覆し、該レース地の外表面にさらに滑動性の良好な透明または半透明のシートで被覆して形成したことを特徴とする表面滑動性でレース模様を有するカップ成型体。
【請求項２】
滑動性の良好な透明または半透明のシートは、通気性を有する素材から形成されていることを特徴とする請求項１に記載の表面滑動性でレース模様を有するカップ成型体。
【請求項３】
発泡ポリウレタンカップを被覆した模様を有するレース地は、裏側面にポリウレタン発泡体のポリウレタン色を打ち消す色彩の着色薄生地を有することを特徴とする請求項１又は２に記載の表面潤滑性でレース模様を有するカップ成型体。
【発明の詳細な説明】
【技術分野】
【０００１】
この発明は女性用の下着の１種であるブラジャー、ボディースーツ、ボディシェーパーその他のファンデーションにおいて、バストの形状を補整するためにこれらのブラジャーやファンデーションのカップ部として装着するカップ成型体に関し、特にファンデーションの上に着用するブラウスなどのアウターの生地との滑りの良い模様のレース地を有するカップ成型体に関する。
【背景技術】
【０００２】
従来、女性はバストの乳房を支持して運動機能を高め、さらにバスト部の体形のプロポーションを豊かに美しく外見的に見せるために、ブラジャー、ボディースーツ、ボディシェーパーその他のファンデーションなどの下着のバスト部に乳房形状のカップ成型体を配設し、このカップ成型体を有するブラジャーやその他のファンデーションなどの下着類を着用し、その上にブラウスなどのアウターを着用している。
【０００３】
ところで、このカップ成型体は、一般には、ブラジャー、ボディースーツ、ボディシェーパーその他のファンデーションなどの下着のバスト部のカップ部の内部に挿入され、その表面はブラジャー、ボディースーツ、ボディシェーパーその他のファンデーションなどの下着の生地でカップ成型体も覆われて内装されている。しかし、このカップ成型体の表面生地自体が装着したブラジャーやファンデーション類のカップ部の表面生地を形成するものもある。そのために、表面がレースなど装飾されたカップ成型体が工業製品としてブラジャーやファンデーションのメーカーに市販されている。
【０００４】
このようなブラジャーやファンデーションなどの素材には、木綿、絹、ナイロンなどやあるいはポリエステルなどからなるスパンデックスなどの伸縮性のある素材などが組み合わされて使用されている。特にブラジャーやファンデーションなどのカップ部の表面生地には、トリコットの１種であるマーキゼットなどの縦編み地がポリアミド系繊維（登録商標ナイロン）やポリエステルなどから形成されている。さらに、これらの表面を模様入りのレース地で飾って下着としても華やかに見えるように工夫されている。通常は、このようにブラジャーやファンデーションなどのカップ部の表面をレース模様で装飾したカップ成型体が多く、一般的に使用されている。
【０００５】
しかし、従来のブラジャーやファンデーションなど、基本的にカップ部に乳房形状を補整するカップ成型体を有するものとして、例えば、発泡ポリウレタンカップからなるカップ成型体を内蔵し、その表面を単にブラジャーの本体の生地である例えば編地や織物地のプレーンな生地で被覆しているものが開発されている（例えば、特許文献１参照。）。
【０００６】
【特許文献１】特開平１０−２９８８０４号公報
【発明の開示】
【発明が解決しようとする課題】
【０００７】
従来の上記の市販のレースで表面を仕上げたカップ成型体をカップ部に有するブラジャーやその他のファンデーション類は、装飾的で綺麗であるが、このようなブラジャーやファンデーションを身体に装着し、その上にブラウスなどのアウターを着用するとき、カップ成型体の表面のレース模様の表面生地が、その上に着用したアウターの生地と絡むなどの問題が生じ、特にカップ部は凸状であるので、一層に絡みやすく、そのために吊れた状態となる影響は大きかった。
【０００８】
そこで、この発明が解決しようとする課題は、ブラジャーなどのカップ部に装着したカップ成型体が表面に模様を有するレース地からなるものであっても、その上に着用するブラウスやアウターに引っ掛かり絡むなどの悪影響がなく、スムーズに着用できる市販用のカップ成型体を提供することである。
【課題を解決するための手段】
【０００９】
上記の課題を解決するための手段として、第１の手段は、ブラジャーその他のファンデーション類のバストのカップ部に装着するため、発泡ポリウレタンカップからなるカップ成型体をレース地で覆い、さらにこのレース地の上に滑動性の良い、透明又は半透明のシート状の素材、例えばアクリルフィルム、ポリエステルフィルム、あるいはナイロンフィルムなどで被覆し、全体で３層として形成したブラジャーその他のファンデーションに適用するカップ成型体である。
【００１０】
さらに第２の手段は、上記の手段において、滑動性の良好な透明または半透明のシートは、通気性を有する素材から形成されているブラジャーその他のファンデーションに適用するカップ成型体である。
【００１１】
さらに第３の手段は、上記の手段において、発泡ポリウレタンカップを被覆した模様を有するレース地には、その裏側面にポリウレタン発泡体のポリウレタン色を打ち消す色彩の着色された薄い生地を有するもので、全体で４層に形成したブラジャーその他のファンデーションに適用するカップ成型体である。
【００１２】
すなわち、請求項１の手段の発明は、ブラジャー、ボディースーツ、ボディシェーパーその他のファンデーションのバストのカップ部に適用するカップ成型体において、発泡ポリウレタンの板状体からモールド成型により形状化したカップ成型体の発泡ポリウレタンカップの表面に模様を有するレース地で被覆し、該レース地の外表面にさらに滑動性の良好な透明または半透明のシートで被覆して形成したことを特徴とする表面滑動性でレース模様を有するカップ成型体である。
【００１３】
請求項２の手段の発明は、滑動性の良好な透明または半透明のシートは、通気性を有する素材から形成されていることを特徴とする請求項１の手段の表面滑動性でレース模様を有するカップ成型体である。
【００１４】
請求項３の手段の発明は、発泡ポリウレタンカップを被覆した模様を有するレース地は、裏側面にポリウレタン発泡体のポリウレタン色を打ち消す色彩の着色薄生地を有することを特徴とする請求項１又は２の手段の表面潤滑性でレース模様を有するカップ成型体である。
【発明の効果】
【００１５】
本願の第１の発明は、カップ成型体の模様入りレース地の上に最外層として透明又は半透明シートを形成したことで、このブラジャーの上に着用するブラウスなどのアウターとの滑りを良好としてアウターに影響を与えることなく、さらに第２の発明は、上記の第１の発明の構成において、カップ成型体の最外層の透明あるいは半透明なシートを通気性の良好なものとすることで、発汗性を良好とし、清涼なものとし、さらに第３の発明は、模様入りレース地の裏面に着色薄生地を配設したことで、ポリウレタン発泡体のカップ成型体の白色を覆って隠し、さらに、着色薄生地の色をその周辺の模様入りレース地の色と調和して落ち着いた色合いとすることができ、あるいは対照的に着色薄生地の色をその周辺の模様入りレース地の色とをコントラストの強い色合いとすることができるなど、本発明は従来にない優れた効果を奏するものである。
【発明を実施するための最良の形態】
【００１６】
本発明を実施するための最良の形態について、図面を参照して説明する。図１は請求項１の発明のカップ成型体の平面図である。図２は請求項１の発明のカップ成型体の断面構造を図解して示す側面図である。図３は請求項２の発明のカップ成型体の断面構造を図解して示す側面図である。
【００１７】
請求項１の発明の実施の形態は、ブラジャーその他のファンデーション類のバストのカップ部１に装着するためのカップ成型体２である。図１に示すこのカップ成型体２の平面図にみられるようにその表面側には、模様を有するレース地５が透明又は半透明のシート６を通して見られる。このカップ成型体２は、２０倍程度に発泡して成形した発泡ポリウレタンの板状体を例えば１９０℃に加熱のモールド中に挟持し、加圧熱成形により減縮してカップ状に形状化してポリウレタン発泡体３とし、さらに図２に図解して示すように、このカップ状のポリウレタン発泡体３の上に、模様を有するレース地５を矢印方向に被覆し、さらに被覆したレース地５の上に滑動性の良い、透明又は半透明のシート６である素材、例えば、アクリルフィルムシート、ポリエステルフィルムシート、あるいはナイロンフィルムシートなどで矢印方向に被覆し、全体で３層として形成したカップ成型体２である。
【００１８】
従来のカップ成型体２はその最外層が模様を有するレース地５であったが、本発明では、カップ成型体２は模様を有するレース地５の上に、上記のように、さらに最外層として潤滑性の良好な透明又は半透明のシート６を被せたものである。したがって、この本発明のカップ成型体２は、これをブラジャーやその他のファンデーションのカップ部１として適用するとき、その上にアウターとして着用するブラウスやその他の上着の生地と絡むことなくレース模様を常に美しく保つことができる。
【００１９】
さらに、請求項２の発明の実施の形態は、上記の形態において、滑動性の良好な透明または半透明のシート６は、さらに通気性を有する素材から形成されているものである。この素材からなるカップ成型体２をブラジャーその他のファンデーションのカップ部１とする。もちろん、このような透明又は半透明のシート６はフィルムシートに微細な孔を設けたものに限るものではなく、滑動性の良いものであれば、細かな繊維の織物からなるシート６でも良く、例えば素材はアクリル繊維やポリエステル繊維やナイロン繊維などの透明あるいは半透明の繊維からなる織物からなる。このように第２の実施の形態では、全体で３層から形成されたカップ成型体２で、ブラジャーその他のファンデーションのカップ部１に適用するものである。このようにカップ成型体２の最外層の透明又は半透明のシート６が通気性の良好なものとしているので、身体にこのカップ成型体２を有するブラジャーその他のファンデーションを着用しても、その部分が蒸れることなく常に爽快である。もちろん、カップ状に形状化したポリウレタン発泡体３は連続気泡を有する発泡体から形成されたものを使用する。
【００２０】
さらに、請求項３の発明の実施の形態では、上記の実施の形態の手段において、ポリウレタン発泡体３からなるカップ部１を被覆する模様を有するレース地５には、その裏側面にポリウレタン発泡体３のポリウレタン色の白色を打ち消す色彩に着色された着色薄生地４を設けたものである。この場合、この着色薄生地４の色は、ポリウレタン発泡体３のカップ成型体２の白色を覆って隠し、さらに、着色薄生地４の色をその周辺の模様入りレース地の色と調和して落ち着いた色合いとするもの、あるいは、着色薄生地４の色をその周辺の模様入りレース地５の色とをコントラストの強い色合いの対照的なものとするものである。なお、ポリウレタン発泡体３は、製造当初は白色であっても経時的に黄色から茶色っぽい色に変色するが、この請求項３の発明の実施の形態では、このポリウレタン発泡体３の変色が覆い隠されるので、見苦しくなることはない。
【００２１】
すなわち、この実施の形態では、カップ成型体２は、図３に示すように、ポリウレタン発泡体３と着色薄生地４と模様を有するレース地５とその上の透明又は半透明のシート６をそれぞれ矢印方向に全体で４層から例えばラミネートして形成してなるカップ成型体２である。もちろん、透明又は半透明のシート６はフィルムからなるシート６とすることもでき、さらに通気性のあるシート６とすることもでき、あるいは、細かな繊維の表面のすべりの良好な織物からなるシート６とすることもできる。
【図面の簡単な説明】
【００２２】
【図１】請求項１の発明のカップ成型体の平面図である。
【図２】請求項１の発明のカップ成型体の断面構造を図解して示す側面図である。
【図３】請求項３の発明のカップ成型体の断面構造を図解して示す側面図である。
【符号の説明】
【００２３】
１  カップ部
２  カップ成型体
３  ポリウレタン発泡体
４  着色薄生地
５  レース地
６  透明又は半透明のシート
【図１】
2007016339.tif 000003
【図２】
2007016339.tif 000004
【図３】
2007016339.tif 000005